(57)【要約】      （修正有）【課題】逆浸透膜浄水装置の小型化を図ることが可能な構成を備える逆浸透膜浄水装置を提供する。【解決手段】原水導入路１と、前記原水導入路１に連結される前処理フィルタ１０１と、前記前処理フィルタ１０１に連結される前処理後原水導出路２，３と、前記前処理後原水導出路２，３に連結される逆浸透膜浄水フィルタ１０２，１０３と、前記逆浸透膜浄水フィルタ１０２，１０３に連結される浄水導出路４と、前処理後原水導出路２，３に設けられ、前記前処理後原水導出路２，３に導入された水圧を検知して、前記逆浸透膜浄水フィルタ１０２，１０３に導入される前処理水の水圧を増加させるポンプ１１１と、を備え、前記前処理フィルタ１０１に、ブロックカーボン製のフィルタを用いる。【選択図】図４
0003152992.tif 000002
【実用新案登録請求の範囲】
【請求項１】
原水導入路(1)と、
前記原水導入路(1)に連結される前処理フィルタ(101)と、
前記前処理フィルタ(101)に連結される前処理後原水導出路(2,3)と、
前記前処理後原水導出路(2,3)に連結される逆浸透膜浄水フィルタ(102,103)と、
前記逆浸透膜浄水フィルタ(102,103)に連結される浄水導出路(4)と、
前処理後原水導出路(2,3)に設けられ、前記前処理後原水導出路(2,3)に導入された水圧を検知して、前記逆浸透膜浄水フィルタ(102,103)に導入される前処理水の水圧を増加させるポンプ(111)と、を備え、
前記前処理フィルタ(101)に、ブロックカーボン製のフィルタを用いる、逆浸透膜浄水装置。
【請求項２】
原水導入路(1)と、
前記原水導入路(1)に連結される前処理フィルタ(101)と、
前記処理フィルタ(101)に連結される前処理後原水導出路(2,3)と、
前記前処理後原水導出路(2,3)に連結される第１逆浸透膜浄水フィルタ(102)と、
前記第１逆浸透膜浄水フィルタ(102)に連結される第１浄水導出路(4)と、
前記第１逆浸透膜浄水フィルタ(102)に連結される第１非浄水導出路(5)と、
前記第１非浄水導出路(5)に連結される第２逆浸透膜浄水フィルタ(103)と、
前記第２逆浸透膜浄水フィルタ(103)に連結される第２浄水導出路(6)と、
前処理後原水導出路(2,3)に設けられ、前記前処理後原水導出路(2,3)に導入された水圧を検知して、前記第１逆浸透膜浄水フィルタ(102)に導入される前処理水の水圧を増加させるポンプ(111)と、を備え、
前記前処理フィルタ(101)に、ブロックカーボン製のフィルタを用いる、逆浸透膜浄水装置。
【考案の詳細な説明】
【技術分野】
【０００１】
本考案は、水道水等の原水を浄化するために、逆浸透膜浄水フィルタを用いた逆浸透膜浄水装置に関する。
【背景技術】
【０００２】
逆浸透膜浄水フィルタを用いた逆浸透膜浄水装置の一例として、下記特許文献１および下記特許文献２に開示されるものが挙げられる。
【０００３】
これらの逆浸透膜浄水装置におていは、原水を逆浸透膜浄水フィルタに導入する前に、原水の前処理として、前処理フィルタで処理された後の原水が、逆浸透膜浄水フィルタに導入される。前処理フィルタとしては、通常、セディメントフィルタとカーボンフィルタの組合せが用いられる。また、カーボンフィルタに粒状活性炭を用いている場合には、活性炭の粉が流出して逆浸透膜浄水フィルタを破損するおそれがあるため、カーボンフィルタの下流側に、さらにセディメントフィルタを設ける場合がある。
【０００４】
セディメントフィルタは、原水の粗ゴミ（苔、藻、プランクトン、赤錆、荒微生物等）から細かい微生物、錆等を取り除くことで、逆浸透膜浄水フィルタの目詰まりを防止する。また、カーボンフィルタは、塩素、トリハロメタン、有機化合物、臭素、色素等を吸着除去する。
【先行技術文献】
【特許文献】
【０００５】
【特許文献１】実用新案登録第３１０１４２２号公報
【特許文献２】実用新案登録第３１４８４４５号公報
【考案の概要】
【考案が解決しようとする課題】
【０００６】
上記したように、従来の逆浸透膜浄水装置としては、逆浸透膜浄水フィルタに原水を導入する前段階に、セディメントフィルタとカーボンフィルタとを原水の前処理が必要であった。そのため、逆浸透膜浄水装置の大型化や、前処理フィルタを別途配設する必要があるといった課題がある。
【０００７】
したがって、この考案は上記課題を解決することを目的とし、逆浸透膜浄水装置の小型化を図ることが可能な構成を備える逆浸透膜浄水装置を提供することにある。
【課題を解決するための手段】
【０００８】
この考案に基づいた逆浸透膜浄水装置においては、原水導入路と、上記原水導入路に連結される前処理フィルタと、上記前処理フィルタに連結される前処理後原水導出路と、上記前処理後原水導出路に連結される逆浸透膜浄水フィルタと、上記逆浸透膜浄水フィルタに連結される浄水導出路と、前処理後原水導入路に設けられ、上記前処理後原水導出路内の水圧を検知して、上記逆浸透膜浄水フィルタに導入される前処理水の水圧を増加させるポンプとを備え、上記前処理フィルタに、ブロックカーボン製のフィルタを用いる。
【０００９】
この考案に基づいた他の逆浸透膜浄水装置においては、原水導入路と、上記原水導入路に連結される前処理フィルタと、上記処理フィルタに連結される前処理後原水導出路と、上記前処理後原水導出路に連結される第１逆浸透膜浄水フィルタと、上記第１逆浸透膜浄水フィルタに連結される第１浄水導出路と、上記第１逆浸透膜浄水フィルタに連結される第１非浄水導出路と、上記第１非浄水導出路に連結される第２逆浸透膜浄水フィルタと、上記第２逆浸透膜浄水フィルタに連結される第２浄水導出路と、前処理後原水導出路に設けられ、上記前処理後原水導入路内の水圧を検知して、上記第１逆浸透膜浄水フィルタに導入される前処理水の水圧を増加させるポンプとを備え、上記前処理フィルタに、ブロックカーボン製のフィルタを用いる。
【考案の効果】
【００１０】
この考案に基づいた逆浸透膜浄水装置によれば、逆浸透膜浄水装置の小型化を図ることが可能な構成を備える逆浸透膜浄水装置を提供することが可能となる。
【図面の簡単な説明】
【００１１】
【図１】この考案に基づいた実施の形態における逆浸透膜浄水装置に採用される浸透膜浄水ユニットの外観構成を示す正面側斜視図である。
【図２】この考案に基づいた実施の形態における逆浸透膜浄水装置に採用される浸透膜浄水ユニットの外観構成を示す背面側斜視図である。
【図３】この考案に基づいた実施の形態における逆浸透膜浄水ユニットの内部構造を示す図である。
【図４】この考案に基づいた実施の形態における逆浸透膜浄水ユニットの浄水回路を示す図である。
【図５】この考案に基づいた実施の形態における逆浸透膜浄水装置を水道蛇口に取り付けた状態を示す図である。
【考案を実施するための形態】
【００１２】
以下、本考案に基づいた実施の形態における逆浸透膜浄水装置の構造について、図１から図５を参照しながら説明する。
【００１３】
なお、以下に説明する実施の形態において、個数、量などに言及する場合、特に記載がある場合を除き、本考案の範囲は必ずしもその個数、量などに限定されない。また、以下の実施の形態において、各々の構成要素は、特に記載がある場合を除き、本考案にとって必ずしも必須のものではない。また、以下に複数の実施の形態が存在する場合、特に記載がある場合を除き、各々の実施の形態の構成を適宜組み合わせることは、当初から予定されている。
【００１４】
（逆浸透膜浄水ユニット１００の外観）
本実施の形態における逆浸透膜浄水装置は、大別すると、逆浸透膜浄水ユニット１００、切換コック２００、および、原水遮断ユニット３００を有している。まず、図１および図２を参照して、逆浸透膜浄水ユニット１００について説明する。図１は、本実施の形態における逆浸透膜浄水装置に採用される逆浸透膜浄水ユニット１００の外観構成を示す正面側斜視図である、図２は、本実施の形態における逆浸透膜浄水装置に採用される逆浸透膜浄水ユニット１００の外観構成を示す背面側斜視図である。
【００１５】
逆浸透膜浄水ユニット１００は、箱型の筐体構造を有し、本体ボックス１５１と、カバー１５２とを有している。本体ボックス１５１の背面側には、原水取水口１２１、浄水導出口１２２、および、排水導出口１２３が設けられている。
【００１６】
（逆浸透膜浄水ユニット１００の浄水回路構成）
次に、図３および図４を参照して、逆浸透膜浄水ユニット１００の浄水回路構成について説明する。図３は、逆浸透膜浄水ユニット１００の内部構造を示す図であり、図４は、逆浸透膜浄水ユニット１００の浄水回路を示す図である。
【００１７】
まず、この逆浸透膜浄水ユニット１００は、原水導入路としてのパイプ１と、このパイプ１に連結される前処理フィルタ１０１と、この処理フィルタ１０１に連結される前処理後原水導出路としてのパイプ２，３と、パイプ３に連結される第１逆浸透膜浄水フィルタ１０２と、この第１逆浸透膜浄水フィルタ１０２に連結される第１浄水導出路としてのパイプ４と、第１逆浸透膜浄水フィルタ１０２に連結される第１非浄水導出路としてのパイプ５と、このパイプ５に連結される第２逆浸透膜浄水フィルタ１０３と、この第２逆浸透膜浄水フィルタ１０３に連結される第２浄水導出路としてのパイプ６とを備えている。
【００１８】
また、パイプ２とパイプ３の連結部には、パイプ２に導入された水圧を検知して、第１逆浸透膜浄水フィルタ１０２に導入される前処理水の水圧を増加させるポンプ１１１が設けられている。
【００１９】
（原水の流れ）
上記構成からなる逆浸透膜浄水ユニット１００において、原水取水口１２１から導入された原水は、パイプ１を通過して前処理フィルタ１０１に導入される。前処理フィルタ１０１としては、ブロックカーボン製のフィルタが用いられる。たとえば、住友スリーエム株式会社製、ウォータフィルター、ＡＰシリーズ、品番ＡＰ３−７６１−Ｊ等を用いる。
【００２０】
前処理フィルタ１０１を通過した原水は、パイプ２に導出される。パイプ２には、プレッシャスイッチ１１０が接続された分岐パイプ２Ａが連結され、パイプ２内に原水が送られた場合に、その水圧を感知して、パイプ２に設けられたポンプ１１１を駆動させる。
【００２１】
ポンプ１１１の起動により水圧が上げられた原水は、パイプ３に導出され、第１逆浸透膜浄水フィルタ１０２に送り込まれる。第１逆浸透膜浄水フィルタ１０２で浄化された浄化水は、パイプ４に導出され、パイプ６と合流して浄水導出口１２２から導出される。
【００２２】
第１逆浸透膜浄水フィルタ１０２で浄化されなかった原水は、パイプ５に導出され、第２逆浸透膜浄水フィルタ１０３に送り込まれる。第２逆浸透膜浄水フィルタ１０３で浄化された浄化水は、パイプ６に導出され浄水導出口１２２から導出される。第２逆浸透膜浄水フィルタ１０３で浄化されなかった原水は、パイプ７に導出され排水導出口１２３から外部に排水される。
【００２３】
（切換コック２００と逆浸透膜浄水ユニット１００との連結）
次に、図５を参照して、切換コック２００と逆浸透膜浄水ユニット１００との連結について説明する。図５は、本実施の形態における逆浸透膜浄水装置１００を水道蛇口５０に取り付けた状態を示す図である。
【００２４】
切換コック２００は、水道水道蛇口５０に連結される構造を有し、切換レバー２０１を第１の状態にすると、原水をそのまま導出口２０２から導出する状態となり、切換レバー２０１を回転させて第２の状態にすると、原水を逆浸透膜浄水ユニット１００に送り出し、逆浸透膜浄水ユニット１００で浄化された浄水を導出口２０２から導出する状態との、２状態の選択が可能となっている。
【００２５】
切換コック２００を第２の状態にした場合には、原水は原水導出ポート２１２からパイプ２１４により逆浸透膜浄水ユニット１００の原水取水口１２１に導出される。逆浸透膜浄水ユニット１００によって浄化された浄水は、浄水導出口１２２からパイプ２１３により切換コック２００の浄水取水ポート２１１に導出される。浄水取水ポート２１１から入力した浄水は、切換コック２００の導出口２０２から導出されることになる。なお、排水導出口１２３には、排水用パイプ２１５が連結されている。
【００２６】
以上、本実施の形態における逆浸透膜浄水装置によれば、前処理フィルタ１０１として、ブロックカーボン製のフィルタが用いられる。ここで、ブロックカーボン製のフィルタは、従来のセディメントフィルタの機能とカーボンフィルタの機能とを併せ持つ機能を有している。また、ブロックカーボン製のフィルタは、カーボンを高い圧力で押し固めて形成されていることから、従来の粒状活性炭を用いたカーボンフィルタにように、活性炭の粉が流出するおそれも少ない。これにより、従来、前処理フィルタとして、セディメントフィルタとカーボンフィルタとを必要としていたが、一つのブロックカーボン製のフィルタのみで済むため、逆浸透膜浄水装置の小型化を図ることが可能となる。
【００２７】
なお、上記実施の形態においては、逆浸透膜浄水フィルタを２段階にして用いる場合を示したが、逆浸透膜浄水フィルタの段数は適宜、必要とする浄水能力に応じて、用いる逆浸透膜浄水フィルタの数量を増減することが可能である。
【００２８】
たとえば、原水導入路としてのパイプ１と、このパイプ１に連結される前処理フィルタ１０１と、この前処理フィルタ１０１に連結される前処理後原水導出路２，３と、前処理後原水導出路２，３に連結される第１逆浸透膜浄水フィルタ１０２と、この第１逆浸透膜浄水フィルタ１０２に連結される浄水導出路としてのパイプ４と、前処理後原水導出路２，３に設けられ、前処理後原水導出路２，３に導入された水圧を検知して、逆浸透膜浄水フィルタ１０２に導入される前処理水の水圧を増加させるポンプ１１１から構成される逆浸透膜浄水装置において、前処理フィルタ１０１に、ブロックカーボン製のフィルタを用いてもかまわない。
【００２９】
以上、本考案に基づく実施の形態について説明したが、今回開示された実施の形態は全ての点で例示であって制限的なものではないと考えられるべきである。本考案の範囲は実用新案登録請求の範囲によって示され、実用新案登録請求の範囲と均等の意味および範囲内での全ての変更が含まれることが意図される。
【符号の説明】
【００３０】
１，２，３，４，５，６，７，２１３，２１４  パイプ、２Ａ  分岐パイプ、５０  水道蛇口、５１  水道水配管、５２  混合栓、５３  配管、５４  お湯配管、５５  分岐配管、１００  逆浸透膜浄水ユニット、１０１  前処理フィルタ、１０２  第１逆浸透膜浄水フィルタ、１０３  第２逆浸透膜浄水フィルタ、１１０  プレッシャスイッチ、１１１  ポンプ、１２１  原水取水口、１２２  浄水導出口、１２３  排水導出口、１５１  本体ボックス、１５２  カバー、２００  切換コック、２０１  切換レバー、２０２  導出口、２１１  浄水取水ポート、２１２  原水導出ポート、２１５  排水用パイプ。
【図１】
0003152992.tif 000003
【図２】
0003152992.tif 000004
【図３】
0003152992.tif 000005
【図４】
0003152992.tif 000006
【図５】
0003152992.tif 000007